【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
積載されたシート束の上面に対向配置された回転可能な無端状の吸着ベルトと、
前記シート束の最上位シートを前記吸着ベルトに吸着させる吸着手段とを備えたシート搬送装置において、
前記吸着ベルトに押し当てて、最上位シートが吸着する吸着領域を屈曲させて、最上位シート以外のシートを、前記吸着ベルトから分離させる分離手段を備え、
前記分離手段の吸着ベルトとの接触面の曲率を、変更可能に構成したことを特徴とするシート搬送装置。
【請求項２】
請求項１に記載のシート搬送装置において、
前記分離手段は、曲率が互いに異なる複数の押し当て部を有し、
前記吸着ベルトの内周面に押し当てる押し当て部を切り替える切替手段を備えたことを特徴とするシート搬送装置。
【請求項３】
請求項２に記載のシート搬送装置において、
前記切替手段は、前記吸着ベルトに吸着させるシートの剛性に基づいて、前記吸着ベルトの内周面に押し当てる押し当て部を切り替えることを特徴とするシート搬送装置。
【請求項４】
請求項３に記載のシート搬送装置において、
前記切替手段は、前記シートの剛性が小さいほど、前記曲率の大きい押し当て部が吸着ベルトに押し当たるように切り替えることを特徴とするシート搬送装置。
【請求項５】
請求項２乃至４いずれかに記載のシート搬送装置において、
前記シート束と前記吸着ベルトとが接触関係にあり、前記シート束の最上位シートを前記吸着ベルトに吸着させる吸着位置から、前記シート束と前記吸着ベルトとが離間関係にあり、前記吸着ベルトに吸着した最上位シートを搬送する搬送位置へ、前記吸着ベルトをシート束の上面に対して傾斜させながら前記吸着ベルトを移動させる移動手段を備え、
前記切替手段は、前記シートの剛性に応じて前記搬送位置での前記吸着ベルトとシート束の上面との傾斜角度を変更する傾斜角度変更手段を備え、
前記分離手段を、前記傾斜角度に応じて、前記吸着ベルトの内周面に押し当てる押し当て部が変更されるように構成したことを特徴とするシート搬送装置。
【請求項６】
請求項５に記載のシート搬送装置において、
前記傾斜角度変更手段は、シートの剛性が小さいほど、前記傾斜角度が大きくなるように変更するものであり、
前記傾斜角度が大きいほど、前記曲率の大きい押し当て部が吸着ベルトに押し当たるように構成したことを特徴とするシート搬送装置。
【請求項７】
請求項５または６に記載のシート搬送装置において、
前記吸着ベルトを張架する第１張架ローラ、および該第１張架ローラよりもシート搬送方向上流側に位置し、前記吸着ベルトを張架する第２張架ローラを有し、前記第２張架ローラを、シート束の上面に対して所定範囲垂直方向に移動可能に支持する吸着ベルトユニットを備え、
前記移動手段は、第２張架ローラよりもシート搬送方向上流側を支点にして前記吸着ベルトユニットを揺動させることにより、前記吸着位置から前記搬送位置へ、前記吸着ベルトをシート束の上面に対して傾斜させながら前記吸着ベルトを移動させるものであって、
前記傾斜角度変更手段は、前記第２張架ローラの移動範囲を変更することにより、傾斜角度を変更することを特徴とするシート搬送装置。
【請求項８】
請求項７のシート搬送装置において、
前記傾斜角度変更手段は、前記第２張架ローラの軸を保持する楕円形状の保持孔を有し、回転可能に支持されたローラ保持部材を備え、前記ローラ保持部材を回転させることで、前記第２張架ローラの移動範囲を変更することを特徴とするシート搬送装置。
【請求項９】
請求項７に記載のシート搬送装置において、
前記傾斜角度変更手段は、前記第２張架ローラの軸が突き当たり、鉛直下向きの移動を規制する規制部を有し、前記吸着ベルトユニットに対してシート搬送方向にスライド移動可能に設けられたスライド部材を備え、前記スライド部材を、スライド移動させることで、前記規制部の鉛直方向の位置が変更され、前記第２張架ローラの移動範囲が変更されることを特徴とするシート搬送装置。
【請求項１０】
請求項７に記載のシート搬送装置において、
前記傾斜角度変更手段は、前記第２張架ローラの軸が突き当たり、鉛直下向きの移動を規制する規制部を有し、前記吸着ベルトユニットに対して回動自在に設けられた回動部材を備え、前記回動部材を回動させることで、前記規制部の鉛直方向の位置が変更され、前記第２張架ローラの移動範囲が変更されることを特徴とするシート搬送装置。
【請求項１１】
請求項５乃至１０いずれかに記載のシート搬送装置において、
前記分離手段のシート搬送方向上流端側が、回転自在に支持されており、前記分離手段のシート搬送方向下流側端部から上流に向けて、複数の押し当て部が並べて設けられており、シート搬送方向下流側の押し当て部ほど、曲率を大きくしたことを特徴とするシート搬送装置。
【請求項１２】
請求項１１に記載のシート搬送装置において、
前記複数の押し当て部は、連続的に形成されていることを特徴とするシート搬送装置。
【請求項１３】
請求項１１に記載のシート搬送装置において、
前記複数の押し当て部が、それぞれ区切られて形成されていることを特徴とするシート搬送装置。
【請求項１４】
請求項１１乃至１３いずれかに記載のシート搬送装置において、
前記切替手段は、前記分離手段の回動範囲を変更する回動範囲変更手段を備えることを特徴とするシート搬送装置。
【請求項１５】
請求項１４に記載のシート搬送装置において、
前記回動範囲変更手段は、前記分離手段のシート幅方向両端に設けられた保持部を保持する楕円形状の保持孔を有し、回転可能に支持された分離保持部材を備え、前記分離保持部材を回転させることで、回動範囲を変更することを特徴とするシート搬送装置。
【請求項１６】
請求項１４に記載のシート搬送装置において、
前記回動範囲変更手段は、前記分離手段が突き当たり、前記分離手段の回動を規制する分離用規制部を有し、前記分離手段に対してシート搬送方向にスライド移動可能に設けられた分離用スライド部材を備え、前記分離用スライド部材を、スライド移動させることで、前記分離用規制部の鉛直方向の位置が変更され、前記分離手段の回動範囲が変更されることを特徴とするシート搬送装置。
【請求項１７】
請求項１４に記載のシート搬送装置において、
前記回動範囲変更手段は、前記分離手段が突き当たり、前記分離手段の回動を規制する分離用規制部を有し、前記分離手段に対して回動自在に設けられた分離用回動部材を備え、前記分離用回動部材を回動させることで、前記分離用規制部の鉛直方向の位置が変更され、前記分離手段の回動範囲が変更されることを特徴とするシート搬送装置。
【請求項１８】
請求項２乃至１７いずれかに記載のシート搬送装置において、
前記切替手段を駆動する駆動源として、前記切替手段以外の手段を駆動する駆動源を用いたことを特徴とするシート搬送装置。
【請求項１９】
請求項１８に記載のシート搬送装置において、
前記切替手段を駆動する駆動源として、前記吸着ベルトを回転駆動させる駆動源を用いたことを特徴とするシート搬送装置。
【請求項２０】
請求項１乃至１９いずれかに記載のシート搬送装置において、
前記吸着ベルトを張架する第１張架ローラと、該第１張架ローラのシート搬送方向上流側に位置する第２張架ローラとを有する吸着ベルトユニットと、
前記シート束と前記吸着ベルトとが接触関係にあり、前記シート束の最上位シートを前記吸着ベルトに吸着させる吸着位置から、前記シート束と前記吸着ベルトとが離間関係にあり、前記吸着ベルトに吸着した最上位シートを搬送する搬送位置へ、前記吸着ベルトをシート束の上面に対して傾斜させながら前記吸着ベルトを移動させる移動手段とを備え、
前記移動手段は、前記吸着ベルトユニットのシート搬送方向下流側端部に取り付けられた第１駆動伝達部と、装置本体に取り付けられた上記第１駆動伝達部と噛み合う第２駆動伝達部とを備え、上記第１駆動伝達部と、上記第２駆動伝達部との噛み合いにより上記吸着ベルトユニットを揺動させることを特徴とするシート搬送装置
【請求項２１】
請求項１乃至２０いずれかに記載のシート搬送装置において、
前記吸着ベルトを張架する第１張架ローラと、該第１張架ローラのシート搬送方向上流側に位置する第２張架ローラとを有する吸着ベルトユニットを備え、
前記吸着ベルトユニットは、前記第１張架ローラおよび前記第２張架ローラが、前記シート束の最上位シートに上記吸着ベルトを介して当接すると、前記第１張架ローラおよび前記第２張架ローラの支持が解除されるように、各張架ローラを支持したことを特徴とするシート搬送装置。
【請求項２２】
請求項１乃至２１いずれかに記載のシート搬送装置において、
前記吸着ベルトを張架する第１張架ローラと、該第１張架ローラのシート搬送方向上流側に位置する第２張架ローラとを有する吸着ベルトユニットを備え、
前記吸着ベルトユニットは、前記第２張架ローラを、シート束の上面に対して所定範囲垂直方向に移動可能に支持したことを特徴とするシート搬送装置。
【請求項２３】
シートに画像を形成する画像形成手段と、
積載されたシート束から最上位シートを分離し、前記画像形成手段へ前記最上位シートを搬送するシート搬送手段とを備えた画像形成装置において、
前記シート搬送手段として、請求項１乃至２２いずれかに記載のシート搬送装置を有することを特徴とする画像形成装置。